(57)【要約】      （修正有） 【課題】視認されにくい透明素材を用いる他に、タンクトップや背中の開いたドレス等の衣服着用時おいても、ストラップやバックベルトが容易に取り替えができる新しいブラジャーを提供する。【解決手段】販売時にはブラジャー本体１に対してバックベルト２の止めリング３が係止部４の縫製孔を挿通して係止し、またストラップ紐５も同様にブラジャー本体１の前係止部６とバックベルト２に設けられた後係止部７の縫製孔に両端部の止めリング８、９が挿通して係止され全体が一体化されている。この取替え型ブラジャーは、ブラジャー本体１と、バックベルト２と、ストラップ紐３と３分割が可能であるため、使用者はタンクトップの衣服着用時には、ブラジャー本体１に対して透明や好みの色に着色された素材からなるストラップ紐５のみ取替えて使用できる。【選択図】図２
0003104911.tif 000002
【実用新案登録請求の範囲】
【請求項１】
ブラジャー本体に対してストラップ、或いはバックベルトが脱着可能に取り付けることができる取替え型ブラジャー。
【請求項２】
前記ストラップ、或いはバックベルトは、ブラジャー本体と異なる色彩又は素材のものを自在に取替えることができることを特徴とする請求項１記載の取替え型ブラジャー。
【請求項３】
前記バックベルトは、ブラジャー本体に対して２本以上取り付け可能であることを特徴とする請求項１又は２記載の取替え型ブラジャー。
【考案の詳細な説明】
【技術分野】
【０００１】
本考案は、ブラジャーに関し、更に詳しくはブラジャー本体に対してストラップやバックベルトを脱着可能とし、これらを色彩を変えることによって使用目的にあった使用を可能とするブラジャーを提供するものである。
【背景技術】
【０００２】
従来のブラジャーは、ブラジャー本体と略同一の色彩や絵柄を付けたストラップやバックベルトを一体的に縫製したタイプのものが主流であり、従って、衣服としてタンクトップを着用する場合には、ストラップが無いブラジャーを着用し、背面が空いているドレス等の場合にはバックベルトが無いブラジャーを着用するために、その都度、別なタイプのものを着用しなければならなかった。
【０００３】
このため一体型のブラジャーの場合には、ストラップに着色されていたり、絵柄がついていると、薄い色の衣服を身につけていると外部より容易に視認されやすいという欠点を有していた。この欠点を解決するものとして、実用新案登録第３０７４９９６号「ブラジャー用ストラップ及びブラジャー」は、ブラジャー用ストラップにおけるひも状部が、透明や半透明で、且つ、伸縮性のある素材で形成されているストラップとそれを用いたブラジャーを開示している。
【０００４】
同様に実用新案登録第３０９１６５０号「ブラジャーのストラップ」は、装飾スライダーを有するストラップであって、弾性を有する細長い紐は多種の色彩からなる透明な素材で形成され、通気性を確保しつつ視覚効果を高めたブラジャーが開示されている。
【特許文献１】実用新案登録第３０７４９９６号
【特許文献２】実用新案登録第３０９１６５０号
【考案の開示】
【考案が解決しようとする課題】
【０００５】
上記公報記載のストラップは透明素材を用いるために、タンクトップの衣服着用時には視認されにくいという利点を有するものの、ブラジャー本体と前記ストラップとは一体的に製造されているために、取り替えができなかった。
【０００６】
また単に、ストラップのみを取り替えする場合には、バックベルトはブラジャー本体と一体的になっており、この場合は、背面が空いているドレス等の衣服には着用できなかったため、着用時にストラップやバックベルトを容易に取替え可能として、着用のドレスに合わせてブラジャーが簡易に使用できることが望まれていた。
【課題を解決するための手段】
【０００７】
本考案者は、斯かる課題を解決するために鋭意研究したところ、ストラップ、又はバックベルトを個別に取替え可能とするために、ブラジャー本体の両端部に取り付けたバックベルト止めリングの係止部でバックベルトを交換して取り付け可能とし、さらにストラップの交換は、ブラジャー本体に上端部に設けた前係止部とバックベルトに設けた後係止部とにリングを挿通して止めることができる新規な取替え型ブラジャーを提供することができた。
【０００８】
即ち本考案の第一は、ブラジャー本体に対してストラップ、或いはバックベルトが脱着可能に取り付けることができる取替え型ブラジャーである。
【０００９】
本考案の第二は、前記ストラップ、或いはバックベルトは、ブラジャー本体と異なる色彩又は素材のものを自在に取替えることができることを特徴とする請求項１記載の取替え型ブラジャーである。
【００１０】
本考案の第三は、前記バックベルトは、ブラジャー本体に対して２本以上取り付け可能であることを特徴とする請求項１又は２記載の取替え型ブラジャーである。
【考案の効果】
【００１１】
本考案の取替え型ブラジャーは、着用時の目的にあったようにストラップやバックベルトを交換して着用でき、特に透明素材のものを着用すると遠目では視認し難いために美しく見られる効果を有する者である。
【００１２】
また本考案のブラジャーは、ストラップやバックバルトを交換して使用できるために、従来のようにバルト一部が破損しても別なベルトと交換可能なために、長期に亘り使用可能である。
【００１３】
特にバックベルトとして、従来の１本のベルトに替えて、２本の細いベルトを同時に使用できるために着用時にベルトが外れることは無く、安心して着用できる効果を有している。
【考案を実施するための最良の形態】
【００１４】
以下に、本考案の取替え型ブラジャーを図面をもって詳細に説明するが、本考案はこれらに限定されるものではない。
【実施例１】
【００１５】
図１は、本考案の取替え型ブラジャー全体を示す斜視図であるが、本考案のブラジャーは、販売時にはブラジャー本体１に対してバックベルト２の止めリング３が係止部４の縫製孔を挿通して係止し、またストラップ紐５も同様にブラジャー本体１の前係止部６とバックベルト２に設けられた後係止部７の縫製孔に両端部の止めリング８、９が挿通して係止され全体が一体化されている。
【００１６】
この取替え型ブラジャーは、図２に示すようにブラジャー本体１と、バックベルト２と、ストラップ紐３と３分割が可能であるため、使用者はタンクトップの衣服着用時には、ブラジャー本体１に対して透明や好みの色に着色された素材からなるストラップ紐５のみ取替えて使用できるために、第３者には視認されにくいという利点を有している。
【００１７】
或いは背中の開いたドレス着用時には、上記同様にブラジャー本体１に対して透明や好みの色に着色された素材からなるバックベルト２のみを取替えて使用できるために、第３者には視認されにくいという利点を有している。
【００１８】
図３は、本考案で使用できるストラップ５の全体を示す斜視図であるが、ストラップ５は紐状部１０の両端にブラジャー本体１の前上端部に取り付けられている前係止部６の縫製孔に挿通する前係止部用止めリング８と、バックベルト２に取り付けられた後係止部７の縫製孔に挿通する後係止部用止めリング９とから構成され、長さ調整部１１で係止後のストラップ５の長さ調整をしている。
【００１９】
ストラップの素材としては、透明、半透明、着色或いは模様付きの熱可塑性ポリウレタン樹脂等の弾性素材を用いることが望ましい。
【００２０】
図４は、バックベルトを取替えた状態を示す部分拡大図であるが、取替え用バックベルトして２本の幅の狭い上下のバックベルト１２、１３を用い、ベルト端部の止めリング３をブラジャー本体１の係止部４の縫製孔に係止する。
【００２１】
この場合、透明素材からなるバックベルト１２，１３を取り付けるには、上部のバックベルト１２の止めリング３の先端を上側から挿通し、下部のバックバルト１３の止めリング３の先端を下側から挿通して２段に取り付けているが、このバックベルトは通常の１本のバックバルトよりは着用時のブラジャー本体１の押え強度が強く成り、安心して着用できるものである。
【００２２】
さらに図４の別な形態として、図５に示すようにバックベルトの止めリング３の基部を介して表裏２本から成るバックベルトの止めリング３の先端を下側から挿通してブラジャー本体に挿通することも可能であり、上記同様に着用時のブラジャー本体１の押え強度が強く成り、安心して着用できるものである。
【図面の簡単な説明】
【００２３】
【図１】本考案のブラジャー全体を示す斜視図である。
【図２】図１の分解説明図である。
【図３】ストラップの全体を示す斜視図である。
【図４】バックベルトを取替えた状態を示す部分拡大図である。
【図５】図４の別な形態を示す部分拡大図である。
【符号の説明】
【００２４】
１・・・ブラジャー本体
２・・・バックベルト
３・・・止めリング
４・・・係止部
５・・・ストラップ  
６・・・前係止部
７・・・後係止部
８・・・前係止部用止めリング
９・・・後係止部用止めリング
１０・・紐状部
１１・・長さ調整部
１２・・上部バックベルト
１３・・下部バックバルト
１４・・フロントホック
【図１】
0003104911.tif 000003
【図２】
0003104911.tif 000004
【図３】
0003104911.tif 000005
【図４】
0003104911.tif 000006
【図５】
0003104911.tif 000007